(57)【要約】  【課題】  利用者が望まない限り、同一コンテンツの連続再生を行わないようにするデータ再生方法、および、大容量データ記憶装置の使用容量を削減するようにするデータ編集方法を提供することを目的とする。  【解決手段】  記録再生装置１００が搭載する複数のディスク型記録媒体１５０あるいは大容量記録再生装置に記録されたコンテンツをランダム再生またはシャッフル再生する際に、選択されたコンテンツが再生済みのコンテンツであるかどうかを判断して同一のコンテンツは再生しないようにすることにより、利用者が望まない限り、同一コンテンツの連続再生を行わないようにするデータ再生方法を提供することができる。【選択図】    図１
2006228318.tif 000002
【特許請求の範囲】
【請求項１】
記録再生装置が搭載する複数のディスク型記録媒体あるいは大容量記録再生装置に記録されたコンテンツをランダム再生またはシャッフル再生するデータ再生方法であって、
再生するコンテンツを選択する工程と、
再生済みのコンテンツに同一のコンテンツがあるかどうかを判断する工程と、
同一のコンテンツがなければそのコンテンツを再生し、同一のコンテンツがあればコンテンツを選択する工程に戻る工程と
を有することを特徴とするデータ再生方法。
【請求項２】
記録再生装置が搭載する複数のディスク型記録媒体あるいは大容量記録再生装置に記録されたコンテンツをランダム再生またはシャッフル再生するデータ再生方法であって、
再生するコンテンツを選択する工程と、
同一のコンテンツがあるかどうかの判断を行うかどうかを選択する工程と、
前記判断を行うと選択された場合に再生済みのコンテンツに同一のコンテンツがあるかどうかを判断する工程と、
前記判断を行わないと選択された場合および同一のコンテンツがなければそのコンテンツを再生し、同一のコンテンツがあればコンテンツを選択する工程に戻る工程と
を有することを特徴とするデータ再生方法。
【請求項３】
同一のコンテンツがあるかどうかを判断する際に、過去に再生された何曲までのコンテンツについて判定処理を行うかを決める有効履歴数を選択する工程を備え、前記有効履歴数内で同一のコンテンツがあるかどうかを判断することを特徴とする請求項１または請求項２のいずれかに記載のデータ再生方法。
【請求項４】
同一のコンテンツがあるかどうかを判断する際に、コンテンツに含まれる音声または映像データを比較して同一のコンテンツがあるかどうかを判断することを特徴とする請求項１または請求項２または請求項３のいずれかに記載のデータ再生方法。
【請求項５】
同一のコンテンツがあるかどうかを判断する際に、コンテンツに含まれるタグ情報を比較して同一のコンテンツがあるかどうかを判断することを特徴とする請求項１または請求項２または請求項３のいずれかに記載のデータ再生方法。
【請求項６】
同一のコンテンツがあるかどうかを判断する際に、コンテンツに含まれる複数のタグ情報のうち任意のタグ情報または全部のタグ情報を比較して同一のコンテンツがあるかどうかを判断することを特徴とする請求項１または請求項２または請求項３のいずれかに記載のデータ再生方法。
【請求項７】
同一のコンテンツがあるかどうかを判断する際に、コンテンツに含まれる音声または映像データとタグ情報を組み合わせて比較して同一のコンテンツがあるかどうかを判断することを特徴とする請求項１または請求項２または請求項３のいずれかに記載のデータ再生方法。
【請求項８】
同一のコンテンツがあるかどうかを判断する際に、コンテンツに含まれるタグ情報と音声または映像データの圧縮方法を組み合わせて比較して同一のコンテンツがあるかどうかを判断することを特徴とする請求項１または請求項２または請求項３のいずれかに記載のデータ再生方法。
【請求項９】
同一のコンテンツがあるかどうかを判断する際に、コンテンツに含まれるタグ情報と音声または映像データの圧縮率を組み合わせて比較して同一のコンテンツがあるかどうかを判断することを特徴とする請求項１または請求項２または請求項３のいずれかに記載のデータ再生方法。
【請求項１０】
同一のコンテンツがあるかどうかを判断する際に、コンテンツに含まれるタグ情報，音声または映像データの圧縮方法，および音声または映像データの圧縮率を組み合わせて比較して同一のコンテンツがあるかどうかを判断することを特徴とする請求項１または請求項２または請求項３のいずれかに記載のデータ再生方法。
【請求項１１】
大容量記録再生装置に記録されたコンテンツを編集するに際し、
前記大容量記録再生装置に記録されたコンテンツに同一のコンテンツが記録されているかどうかを判断する工程と、
同一のコンテンツが記録されている場合にいずれかのコンテンツを削除する工程と
を有することを特徴とするデータ編集方法。
【請求項１２】
大容量記録再生装置に記録されたコンテンツを編集するに際し、
同一のコンテンツがあるかどうかの判断を行うかどうかを選択する工程と、
前記判断を行うと選択された場合に再生済みのコンテンツに同一のコンテンツがあるかどうかを判断する工程と、
同一のコンテンツが記録されている場合にいずれかのコンテンツを削除する工程と
を有することを特徴とするデータ編集方法。
【請求項１３】
前記コンテンツの削除を任意に選択して自動もしくは手動で行うことを特徴とする請求項１１または請求項１２のいずれかに記載のデータ編集方法。
【請求項１４】
同一のコンテンツが記録されているかどうかを判断する際に、コンテンツに含まれる音声または映像データを比較して同一のコンテンツが記録されているかどうかを判断することを特徴とする請求項１１または請求項１２または請求項１３のいずれかに記載のデータ編集方法。
【請求項１５】
同一のコンテンツが記録されているかどうかを判断する際に、コンテンツに含まれるタグ情報を比較して同一のコンテンツが記録されているかどうかを判断することを特徴とする請求項１１または請求項１２または請求項１３のいずれかに記載のデータ編集方法。
【請求項１６】
同一のコンテンツが記録されているかどうかを判断する際に、コンテンツに含まれる複数のタグ情報のうち任意のタグ情報または全部のタグ情報を比較して同一のコンテンツが記録されているかどうかを判断することを特徴とする請求項１１または請求項１２または請求項１３のいずれかに記載のデータ編集方法。
【請求項１７】
同一のコンテンツが記録されているかどうかを判断する際に、コンテンツに含まれる音声または映像データとタグ情報を組み合わせて比較して同一のコンテンツが記録されているかどうかを判断することを特徴とする請求項１１または請求項１２または請求項１３のいずれかに記載のデータ編集方法。
【請求項１８】
同一のコンテンツが記録されているかどうかを判断する際に、コンテンツに含まれるタグ情報と音声または映像データの圧縮方法を組み合わせて比較して同一のコンテンツが記録されているかどうかを判断することを特徴とする請求項１１または請求項１２または請求項１３のいずれかに記載のデータ編集方法。
【請求項１９】
同一のコンテンツが記録されているかどうかを判断する際に、コンテンツに含まれるタグ情報と音声または映像データの圧縮率を組み合わせて比較して同一のコンテンツが記録されているかどうかを判断することを特徴とする請求項１１または請求項１２または請求項１３のいずれかに記載のデータ編集方法。
【請求項２０】
同一のコンテンツが記録されているかどうかを判断する際に、コンテンツに含まれるタグ情報，音声または映像データの圧縮方法，および音声または映像データの圧縮率を組み合わせて比較して同一のコンテンツが記録されているかどうかを判断することを特徴とする請求項１１または請求項１２または請求項１３のいずれかに記載のデータ編集方法。
【発明の詳細な説明】
【技術分野】
【０００１】
本発明は、複数の記録または再生メディアを格納可能な装置、もしくは大容量データ記憶装置における、データ再生方法およびデータ編集方法に関するものである。
【背景技術】
【０００２】
従来、複数の記録または再生メディアを格納可能な装置、もしくは大容量データ記憶装置において、複数のメディアに、同一コンテンツが格納されている状態、もしくは大容量データ記憶装置内に同一コンテンツが複数存在している場合には、連続して同一コンテンツが再生される可能性があった。また、大容量データ記憶装置においては、大容量データ記憶装置内に同一コンテンツが複数存在している場合、記憶装置の容量を必要以上に消費している状態があった。
【０００３】
なお、ユーザーが与える反応情報に基づいて、ユーザーの好みに応じたコンテンツ項目を再生する技術があるが、この技術が同一コンテンツの連続再生を避けるものではない（例えば、特許文献１参照）。
【０００４】
また、一度大容量記憶媒体に記録したコンテンツは、利用者自身がコンテンツを削除する行為を行わない限り、大容量記憶媒体から削除されることはなかった。なお、記録済みの情報のうち過去に再生したことのある情報部分を特定できる再生済み情報、記録済み情報のうち保存すべき情報部分を特定できるアーカイブ情報を情報記録媒体に持たせ、情報記録媒体にデジタル情報を記録する技術もあるが、これは過去に再生済みであることを前提としており、この技術が、大容量データ記憶装置内のコンテンツの削除を可能にするものではない（例えば、特許文献２参照）。
【特許文献１】特開２００４−２６１５０号公報
【特許文献２】特開２００２−１９０１８３号公報
【発明の開示】
【発明が解決しようとする課題】
【０００５】
上記、従来技術では、複数のメディアに、同一コンテンツが格納されている状態、もしくは大容量データ記憶装置内に同一コンテンツが複数存在している場合にシャッフル再生を行うと、同一コンテンツの連続再生が行われる可能性があるという問題点があった。また、大容量データ記憶装置内に同一コンテンツが複数存在している場合においては、同一コンテンツが複数存在することにより、記憶装置の容量を重複して使用するという問題点があった。
【０００６】
本発明は、上記問題点を解決するもので、利用者が望まない限り、同一コンテンツの連続再生を行わないようにするデータ再生方法、および、大容量データ記憶装置の使用容量を削減するようにするデータ編集方法を提供することを目的とする。
【課題を解決するための手段】
【０００７】
上記目的を達成するために、本発明の請求項１記載のデータ再生方法は、記録再生装置が搭載する複数のディスク型記録媒体あるいは大容量記録再生装置に記録されたコンテンツをランダム再生またはシャッフル再生するデータ再生方法であって、再生するコンテンツを選択する工程と、再生済みのコンテンツに同一のコンテンツがあるかどうかを判断する工程と、同一のコンテンツがなければそのコンテンツを再生し、同一のコンテンツがあればコンテンツを選択する工程に戻る工程とを有することを特徴とする。
【０００８】
請求項２記載のデータ再生方法は、記録再生装置が搭載する複数のディスク型記録媒体あるいは大容量記録再生装置に記録されたコンテンツをランダム再生またはシャッフル再生するデータ再生方法であって、再生するコンテンツを選択する工程と、同一のコンテンツがあるかどうかの判断を行うかどうかを選択する工程と、前記判断を行うと選択された場合に再生済みのコンテンツに同一のコンテンツがあるかどうかを判断する工程と、前記判断を行わないと選択された場合および同一のコンテンツがなければそのコンテンツを再生し、同一のコンテンツがあればコンテンツを選択する工程に戻る工程とを有することを特徴とする。
【０００９】
請求項３記載のデータ再生方法は、請求項１または請求項２のいずれかに記載のデータ再生方法において、同一のコンテンツがあるかどうかを判断する際に、過去に再生された何曲までのコンテンツについて判定処理を行うかを決める有効履歴数を選択する工程を備え、前記有効履歴数内で同一のコンテンツがあるかどうかを判断することを特徴とする。
【００１０】
請求項４記載のデータ再生方法は、請求項１または請求項２または請求項３のいずれかに記載のデータ再生方法において、同一のコンテンツがあるかどうかを判断する際に、コンテンツに含まれる音声または映像データを比較して同一のコンテンツがあるかどうかを判断することを特徴とする。
【００１１】
請求項５記載のデータ再生方法は、請求項１または請求項２または請求項３のいずれかに記載のデータ再生方法において、同一のコンテンツがあるかどうかを判断する際に、コンテンツに含まれるタグ情報を比較して同一のコンテンツがあるかどうかを判断することを特徴とする。
【００１２】
請求項６記載のデータ再生方法は、請求項１または請求項２または請求項３のいずれかに記載のデータ再生方法において、同一のコンテンツがあるかどうかを判断する際に、コンテンツに含まれる複数のタグ情報のうち任意のタグ情報または全部のタグ情報を比較して同一のコンテンツがあるかどうかを判断することを特徴とする。
【００１３】
請求項７記載のデータ再生方法は、請求項１または請求項２または請求項３のいずれかに記載のデータ再生方法において、同一のコンテンツがあるかどうかを判断する際に、コンテンツに含まれる音声または映像データとタグ情報を組み合わせて比較して同一のコンテンツがあるかどうかを判断することを特徴とする。
【００１４】
請求項８記載のデータ再生方法は、請求項１または請求項２または請求項３のいずれかに記載のデータ再生方法において、同一のコンテンツがあるかどうかを判断する際に、コンテンツに含まれるタグ情報と音声または映像データの圧縮方法を組み合わせて比較して同一のコンテンツがあるかどうかを判断することを特徴とする。
【００１５】
請求項９記載のデータ再生方法は、請求項１または請求項２または請求項３のいずれかに記載のデータ再生方法において、同一のコンテンツがあるかどうかを判断する際に、コンテンツに含まれるタグ情報と音声または映像データの圧縮率を組み合わせて比較して同一のコンテンツがあるかどうかを判断することを特徴とする。
【００１６】
請求項１０記載のデータ再生方法は、請求項１または請求項２または請求項３のいずれかに記載のデータ再生方法において、同一のコンテンツがあるかどうかを判断する際に、コンテンツに含まれるタグ情報，音声または映像データの圧縮方法，および音声または映像データの圧縮率を組み合わせて比較して同一のコンテンツがあるかどうかを判断することを特徴とする。
【００１７】
請求項１１記載のデータ編集方法は、大容量記録再生装置に記録されたコンテンツを編集するに際し、前記大容量記録再生装置に記録されたコンテンツに同一のコンテンツが記録されているかどうかを判断する工程と、同一のコンテンツが記録されている場合にいずれかのコンテンツを削除する工程とを有することを特徴とする。
【００１８】
請求項１２記載のデータ編集方法は、大容量記録再生装置に記録されたコンテンツを編集するに際し、同一のコンテンツがあるかどうかの判断を行うかどうかを選択する工程と、前記判断を行うと選択された場合に再生済みのコンテンツに同一のコンテンツがあるかどうかを判断する工程と、同一のコンテンツが記録されている場合にいずれかのコンテンツを削除する工程とを有することを特徴とする。
【００１９】
請求項１３記載のデータ編集方法は、請求項１１または請求項１２のいずれかに記載のデータ編集方法において、前記コンテンツの削除を任意に選択して自動もしくは手動で行うことを特徴とする。
【００２０】
請求項１４記載のデータ編集方法は、請求項１１または請求項１２または請求項１３のいずれかに記載のデータ編集方法において、同一のコンテンツが記録されているかどうかを判断する際に、コンテンツに含まれる音声または映像データを比較して同一のコンテンツが記録されているかどうかを判断することを特徴とする。
【００２１】
請求項１５記載のデータ編集方法は、請求項１１または請求項１２または請求項１３のいずれかに記載のデータ編集方法において、同一のコンテンツが記録されているかどうかを判断する際に、コンテンツに含まれるタグ情報を比較して同一のコンテンツが記録されているかどうかを判断することを特徴とする。
【００２２】
請求項１６記載のデータ編集方法は、請求項１１または請求項１２または請求項１３のいずれかに記載のデータ編集方法において、同一のコンテンツが記録されているかどうかを判断する際に、コンテンツに含まれる複数のタグ情報のうち任意のタグ情報または全部のタグ情報を比較して同一のコンテンツが記録されているかどうかを判断することを特徴とする。
【００２３】
請求項１７記載のデータ編集方法は、請求項１１または請求項１２または請求項１３のいずれかに記載のデータ編集方法において、同一のコンテンツが記録されているかどうかを判断する際に、コンテンツに含まれる音声または映像データとタグ情報を組み合わせて比較して同一のコンテンツが記録されているかどうかを判断することを特徴とする。
【００２４】
請求項１８記載のデータ編集方法は、請求項１１または請求項１２または請求項１３のいずれかに記載のデータ編集方法において、同一のコンテンツが記録されているかどうかを判断する際に、コンテンツに含まれるタグ情報と音声または映像データの圧縮方法を組み合わせて比較して同一のコンテンツが記録されているかどうかを判断することを特徴とする。
【００２５】
請求項１９記載のデータ編集方法は、請求項１１または請求項１２または請求項１３のいずれかに記載のデータ編集方法において、同一のコンテンツが記録されているかどうかを判断する際に、コンテンツに含まれるタグ情報と音声または映像データの圧縮率を組み合わせて比較して同一のコンテンツが記録されているかどうかを判断することを特徴とする。
【００２６】
請求項２０記載のデータ編集方法は、請求項１１または請求項１２または請求項１３のいずれかに記載のデータ編集方法において、同一のコンテンツが記録されているかどうかを判断する際に、コンテンツに含まれるタグ情報，音声または映像データの圧縮方法，および音声または映像データの圧縮率を組み合わせて比較して同一のコンテンツが記録されているかどうかを判断することを特徴とする。
【００２７】
以上により、利用者が望まない限り、同一コンテンツの連続再生を行わないようにするデータ再生方法、および、大容量データ記憶装置の使用容量を削減するようにするデータ編集方法を提供することができる。
【発明の効果】
【００２８】
記録再生装置が搭載する複数のディスク型記録媒体あるいは大容量記録再生装置に記録されたコンテンツをランダム再生またはシャッフル再生する際に、選択されたコンテンツが再生済みのコンテンツであるかどうかを判断して同一のコンテンツは再生しないようにすることにより、利用者が望まない限り、同一コンテンツの連続再生を行わないようにするデータ再生方法を提供することができる。
【００２９】
また、大容量記録再生装置に記録されたコンテンツを編集するに際し、同一のコンテンツが記録されているかどうかを判断して同一のコンテンツのうちいずれかを削除することにより、大容量データ記憶装置の使用容量を削減するようにするデータ編集方法を提供することができる。
【発明を実施するための最良の形態】
【００３０】
以下、本発明の実施の形態を、図面を参照しながら説明する。
（実施の形態１）
以下、実施の形態１におけるデータ再生方法について図１，図２，図３，図４，図５，図６，図７を用いて説明する。
【００３１】
図１は本発明の実施の形態１における複数のディスクを搭載可能な記録再生装置の構成図、図２は本発明の実施の形態１におけるデータエリアにて同一のコンテンツの判断を行う方法を説明する図、図３は本発明の実施の形態１におけるタグ情報エリアにて同一のコンテンツの判断を行う方法を説明する図、図４は本発明の実施の形態１におけるデータ再生方法を説明するフロー図、図５は本発明の実施の形態１におけるタグ情報選択画面を例示する図、図６は本発明の実施の形態１における有効履歴数選択画面を例示する図、図７は本発明の実施の形態１におけるデータ再生方法の具体例を説明するための図である。
【００３２】
図１において、１００は記録再生装置であり、ディスク型記録媒体を搭載して記録媒体を運搬する、ｎ個のディスク型記憶媒体運搬装置１１０、ディスク型記憶媒体運搬装置１２０、ディスク型記憶媒体運搬装置１３０、ディスク型記憶媒体運搬装置１４０、ディスク型記憶媒体記録再生装置１６０、およびディスク型記録媒体運搬装置を制御する運搬制御装置１７０により構成される。１５０はディスク型記録媒体であり、複数のディスクを搭載可能な記録再生装置１００に搭載される。
【００３３】
ディスク型記憶媒体記録再生装置１６０は、各ディスク型記録媒体に記録されているコンテンツに同一のものがあるかどうかを判断し、データ再生の制御を行う。
次に、同一コンテンツの検出方法を説明する。
【００３４】
図２（ａ）は、ディスク型記録媒体内のコンテンツデータのデータ構造を示している。コンテンツデータ５００は、映像または音声データを格納しているデータエリア５１０とタグ情報を格納しているタグ情報エリア５２０とを持っている。
【００３５】
また、図２（ｂ）は、コンテンツデータ５００内のデータエリア５１０に格納されている映像または音声データによって、同一コンテンツと判断する方法を説明している。
図２（ｂ）において、データエリア５１０に記録されているデータのうち、あらかじめ設定された任意のアドレスから任意の数だけのデータが一致したときに、同一コンテンツであるとする。一例として、先頭アドレスから５バイトのデータが一致することによりコンテンツが一致すると判断する場合に、図に示すように、コンテンツデータＡ内のデータエリア５１０の先頭アドレスからのデータが、０ｘ２３，０ｘＤ５，０ｘ６４，０ｘ８Ｃ，０ｘ３Ａでありかつ、コンテンツデータＢ内のデータエリア５１０の先頭アドレスからのデータが、０ｘ２３，０ｘＤ５，０ｘ６４，０ｘ８Ｃ，０ｘ３Ａであり、先頭アドレスから５バイトのデータが一致しているので、この２つのコンテンツは同一コンテンツであると判断する。
【００３６】
図３（ａ）は、ディスク型記録媒体内のコンテンツデータのデータ構造を示している。コンテンツデータ５００は、映像または音声データを格納しているデータエリア５１０とタグ情報を格納しているタグ情報エリア５２０とを持っている。タグ情報エリア５２０には、コンテンツ内の付属データとして、曲名，アーティスト名，アルバム名等が記録されている。
【００３７】
図３（ｂ）にコンテンツデータ５００内のタグ情報エリア５２０によって、同一コンテンツと判断する方法を示している。タグ情報エリア５２０に記録されているデータのうち、任意の情報から任意の数以上の情報が一致したときに、同一コンテンツであるとする。一例として、コンテンツＣ内のタグ情報エリア５２０内の曲名データが０ｘ０３，０ｘＡＡ，０ｘ７Ｆ，０ｘ１９（＝「運命」）、アーティスト名データが０ｘＣ５，０ｘＢＤ，０ｘ６２，０ｘ３１，０ｘ５８（＝「ベートーベン」）でありかつ、コンテンツデータＤ内のタグ情報エリア５２０内の曲名データが０ｘ０３，０ｘＡＡ，０ｘ７Ｆ，０ｘ１９（＝「運命」）、アーティスト名が０ｘＣ５，０ｘＢＤ，０ｘ６２，０ｘ３１，０ｘ５８（＝「ベートーベン」）であるとしたとき、タグ情報エリア内の二つの情報が一致しているので、この二つのコンテンツは同一コンテンツであると判断する。また、同一コンテンツと判断する方法はタグ情報エリアのみで判断するだけでなく、圧縮方法または圧縮率との組み合わせや、圧縮方法と圧縮率の両方を組み合わせることでも同一コンテンツであると判断することができるものとする。
【００３８】
次に、データ再生方法の制御フローの例を説明する。
データ再生方法の制御流れ図を図４に示す。本発明のデータ再生方法を用いない場合は、図４（ａ）に示すように、従来と同様に、ランダムまたはシャッフル再生の選曲をする処理６００と選曲したコンテンツを再生する処理６０１でだけであったが、本発明のデータ再生方法を用いる場合、図４（ｂ）に示すように、処理６００の前にどの情報を使用して同一コンテンツと判断するかを選択する処理および、過去に再生された何曲までのコンテンツについて判定処理をするかの有効履歴数を選択する処理を有し、同一コンテンツ判定方法を選択する処理６０２が追加される。また、処理６００，６０１の間に、同一コンテンツ判定動作を行うかどうかを選択する動作制御判定処理６０３が追加され、動作が有効である場合、選択された有効履歴数内の再生済みコンテンツにおいて曲名情報が一致するコンテンツがあるかどうかを判断する処理６０４、有効履歴数内にあるコンテンツにおいてアーティスト名情報が一致するコンテンツがあるかどうかを判断する処理６０５が追加され、同一曲名で同一アーティスト名のコンテンツである場合は同一コンテンツと判断されて処理６００に戻り、同一コンテンツでないと判断された場合には再生処理が実行される。ここでは、例として曲名情報および、アーティスト名情報で同一コンテンツを判断するようにしているが、処理６０２内において、他のタグ情報，音声または映像データ，圧縮方法および圧縮率を任意に組み合わせて選択している場合には、これらを判断する処理が処理６０３と処理６０１の間に追加される。
【００３９】
ここで、動作制御判定処理および、どの情報を使用して同一コンテンツであるかを判断する処理および、新規に選曲したコンテンツを何曲前までのコンテンツと比較するかを判断する処理（上記処理６０２）は利用者が任意に選択できるものとする。
【００４０】
このときの画面表示例を図５および図６に示す。
図５はタグ情報エリアのどの情報を使用して同一コンテンツと判断させるかを選択する画面例であるタグ情報エリアの情報を選択する画面８００である。点線より上の項目はジャンルなどに関係なく常に選択できる項目（常に表示している項目）であり、点線より下の項目はジャンルによって選択できるようになる項目（表示はしなくてもよい項目）である。ここでは、ジャンルがクラシックの場合の画面表示例を示している。タグ情報エリアに情報がないなど、タグ情報による同一コンテンツ判断ができない（しない）場合は、データ情報エリアの情報を使用して同一コンテンツの判断を行うため、図５の表示は行わなくてもよいものとする。図６はランダムまたはシャッフル再生において何曲前まで検索を行うかを利用者が入力する画面表示例であり、有効履歴数の入力画面８１０である。
【００４１】
例えば、図７にある記録再生装置８２０のようにディスク１および、ディスクｎ−１にアーティスト名「Ａｒｔｉｓｔ」のアルバム「Ａｌｂｕｍ」８３０と「Ｂｅｓｔ  Ａｌｂｕｍ」８４０が入っており、２つのアルバム内にあるコンテンツ「Ｃｏｎｔｅｎｔ  ８」は同一コンテンツであるとする。また、同一コンテンツの判断を図５のようにタグ情報エリアの曲名情報とアーティスト情報により決定し、有効履歴数を図６のように１０コンテンツとしてランダムまたはシャッフル再生をする。このとき、ディスク１内の「Ｃｏｎｔｅｎｔ  ８」が先に再生され、１０コンテンツ以内にディスクｎ−１の「Ｃｏｎｔｅｎｔ  ８」が選曲されたとき、ディスクｎ−１の「Ｃｏｎｔｅｎｔ  ８」は再生されず、次のコンテンツを選曲する処理が行なわれる。
【００４２】
以上のように、複数のディスク型記録媒体を搭載可能な記録再生装置におけるデータ再生方法において、ランダムまたはシャッフル再生する際に、タグ情報エリアまたはデータエリアのあらかじめ設定された任意のデータの一致を確認することで、コンテンツが同一であるかどうかを判断し、すでに再生されたコンテンツと同一のコンテンツを再生しないように制御することにより、利用者が望まない限り、同一コンテンツの連続再生を行わないようにすることができる。
【００４３】
（実施の形態２）
以下、実施の形態２におけるデータ編集方法について図８，図９，図１０，図１１，図１２，図１３を用いて説明する。
【００４４】
図８は本発明の実施の形態２における複数のフォルダに分割された大容量記録再生装置の構成図、図９は本発明の実施の形態２におけるデータ編集方法を説明するフロー図、図１０は本発明の実施の形態２におけるコンテンツの一覧画面を例示する図、図１１は本発明の実施の形態２における自動消去・手動消去選択画面を例示する図、図１２は本発明の実施の形態２における自動消去を選択した場合に表示される画面を例示する図、図１３は本発明の実施の形態２における手動消去を選択した場合に表示される画面を例示する図である。
【００４５】
図８において、２００は大容量記録再生装置、２１０，２２０，２３０，２４０は大容量記録再生媒体内のフォルダである。大容量記録再生装置２００はｎ個のフォルダを内蔵している。
【００４６】
同一コンテンツであると判断する方法はｎ個のディスク型記録媒体に替わりディスク型記録媒体内のｎ個のフォルダを用いる構成になるだけで実施の形態１と同様であるので、ここでは説明を省略する。実施の形態２におけるデータ編集方法は、同一コンテンツであると判断された場合に、一方のコンテンツを削除する工程を有するものである。
【００４７】
次に、データ編集方法の制御フローについて説明する。
データ編集方法の制御流れ図を図９に示す。本発明のデータ編集方法を用いない場合は従来と同様に、記録媒体内にコンテンツを保存する処理７００と記憶媒体内のコンテンツをそのまま保存しておく処理７０１だけであったが、本発明のデータ編集方法を用いる場合、処理７００，７０１の間に、どの情報を使用して同一コンテンツと判断するかを選択する処理７０２、同一コンテンツ判定動作を行うかどうかを選択する動作制御判定処理７０３が追加され、動作が有効である場合には、同一記録媒体内にあるコンテンツにおいて曲名情報が一致するコンテンツがあるかどうかを判断する処理７０４、同一記録媒体内にあるコンテンツにおいてアーティスト名情報が一致するコンテンツがあるかどうかを判断する処理７０５、消去候補コンテンツから消去コンテンツを決定する処理７０６、処理７０６において消去すると判断した場合、自動または手動で消去を行う処理７０７が追加され、編集処理が実行される。ここでは、例として曲名情報および、アーティスト名情報で同一コンテンツを判断するようにしているが、処理７０２内において、他のタグ情報および圧縮方法および圧縮率を選択している場合には、これらを判断する処理が処理７０３と処理７０６の間に追加される。
【００４８】
ここで、動作制御判定処理および、どの情報を使用して同一コンテンツであるかを判断する処理および、消去候補コンテンツから消去コンテンツを選択する処理は利用者が任意に選択できるものとする。
【００４９】
このときの画面表示例を図１０〜図１３に示す。
図１０は大容量記憶再生装置内にあるコンテンツの一覧を表示する画面表示例であるコンテンツの一覧画面８５０である。図１１は同一コンテンツを自動的に消去するかまたは、利用者が消去するかを選択する画面表示例である自動消去・手動消去選択画面８６０である。図１２は図１１において、自動消去を選択した場合に表示される画面表示例である自動消去を選択した場合に表示される画面８７０である。この画面において、優先して消去する項目を選択することで、コンテンツを自動的に大容量記録媒体内から消去を行うことができる。図１３は図１１において、手動消去を選択した場合に表示される画面表示例である手動消去を選択した場合に表示される画面８８０である。この画面において、同一コンテンツの一覧が表示されるので、利用者は消去したいコンテンツを選択することで大容量記録媒体内から消去を行うことができる。
【００５０】
例えば、同一コンテンツの判断を図５のようにタグ情報エリアの曲名情報とアーティスト情報により決定するとした時、大容量記録再生装置内に図１０のようにフォルダ１および、フォルダｎ−１にアーティスト名「Ａｒｔｉｓｔ」のアルバム「Ａｌｂｕｍ」と「Ｂｅｓｔ  Ａｌｂｕｍ」が入っており、２つのアルバム内にあるコンテンツ「Ｃｏｎｔｅｎｔ  ８」は同一コンテンツであるとなる。消去方法は図１１のように手動消去を選択したとする時、消去できるコンテンツ候補は図１３のように２曲あり、この場合、選択した「Ｂｅｓｔ  Ａｌｂｕｍ」の「Ｃｏｎｔｅｎｔ  ８」が消去される。
【００５１】
以上のように、大容量記録再生装置におけるデータ編集方法において、タグ情報エリアまたはデータエリアのあらかじめ設定された任意のデータの一致を確認することで、コンテンツが同一であるかどうかを判断し、いずれかのコンテンツを自動あるいは手動で消去することができるため、大容量データ記憶装置の使用容量を削減することができる。
【００５２】
また、本実施の形態における大容量データ記憶装置のフォルダ動作を、実施の形態１におけるディスク型記録媒体記録再生装置の動作と置き換えることにより、実施の形態１におけるデータ編集方法を実現することができる。
（実施の形態３）
以下、実施の形態３におけるデータ再生方法およびデータ編集方法について図１４を用いて説明する。
【００５３】
図１４は本発明の実施の形態３における記録再生装置の構成図である。
図１４において、３００は記録再生装置、３１０はディスク型記録媒体記録再生装置、３２０は半導体メモリ記録再生装置、３３０は大容量記録再生装置、３４０はネットワークを介して繋がれた大容量記録再生装置、４００は半導体メモリカードである。記録再生装置３００は、ディスク型記録媒体記録再生装置３１０，半導体メモリ記録再生装置３２０，大容量記録再生装置３３０のうち、いずれか一つ以上を内蔵するものとする。
【００５４】
図１４（ａ）〜（ｄ）は、それぞれ、ディスク型記録媒体記録再生装置３１０，半導体メモリ記録再生装置３２０，大容量記録再生装置３３０の一装置を内蔵する構成例である。
【００５５】
図１４（ｅ）は、記録再生装置３００がディスク型記録媒体記録再生装置３１０と半導体メモリ記録再生装置３２０と大容量記録再生装置３３０とネットワークを介して繋がれた大容量記録再生装置３４０によって構成されているものとする。このとき、ディスク型記録媒体記録再生装置３１０と半導体メモリ記録再生装置３２０と大容量記録再生装置３３０とネットワークを介して繋がれた大容量記録再生装置３４０はそれぞれ、実施の形態１に記載のｎ個（ここではｎ＝４）のディスク型記録媒体運搬装置と同一の役割を果たすものであるとすることで、記録媒体内のコンテンツを実施の形態１に記載のように扱うことが出来る。その他の動作については、実施の形態１と同様であるので説明を省略する。
【００５６】
同様に、ディスク型記録媒体記録再生装置３１０と半導体メモリ記録再生装置３２０と大容量記録再生装置３３０とネットワークを介して繋がれた大容量記録再生装置３４０はそれぞれ、実施の形態２に記載のｎ個（ここではｎ＝４）のフォルダと同一の役割を果たすものであるとすることで、記録媒体内のコンテンツを実施の形態２に記載のように扱うことができる。その他の動作については、実施の形態２と同様であるので説明を省略する。
【００５７】
本実施の形態の構成は異なる記録再生装置間においても同一コンテンツの判断が出来、かつ、同一コンテンツをランダムまたはシャッフル再生させないようにしたことと、同一コンテンツを削除することを特徴とする構成に対応している。
【００５８】
以上のように、コンテンツデータを使用して、同一コンテンツであるかどうかの判断を行うことにより、同一コンテンツの連続再生を行わないようにするデータ再生方法、および、大容量データ記憶装置の使用容量を削減するようにするデータ編集方法を提供することができる。
【産業上の利用可能性】
【００５９】
本発明は、利用者が望まない限り、同一コンテンツの連続再生を行わないようにするデータ再生方法、および、大容量データ記憶装置の使用容量を削減するようにするデータ編集方法を提供することができ、複数の記録または再生メディアを格納可能な装置、もしくは大容量データ記憶装置における、データ再生方法およびデータ編集方法等に有用である。
【図面の簡単な説明】
【００６０】
【図１】本発明の実施の形態１における複数のディスクを搭載可能な記録再生装置の構成図
【図２】本発明の実施の形態１におけるデータエリアにて同一のコンテンツの判断を行う方法を説明する図
【図３】本発明の実施の形態１におけるタグ情報エリアにて同一のコンテンツの判断を行う方法を説明する図
【図４】本発明の実施の形態１におけるデータ再生方法を説明するフロー図
【図５】本発明の実施の形態１におけるタグ情報選択画面を例示する図
【図６】本発明の実施の形態１における有効履歴数選択画面を例示する図
【図７】本発明の実施の形態１におけるデータ再生方法の具体例を説明するための図
【図８】本発明の実施の形態２における複数のフォルダに分割された大容量記録再生装置の構成図
【図９】本発明の実施の形態２におけるデータ編集方法を説明するフロー図
【図１０】本発明の実施の形態２におけるコンテンツの一覧画面を例示する図
【図１１】本発明の実施の形態２における自動消去・手動消去選択画面を例示する図
【図１２】本発明の実施の形態２における自動消去を選択した場合に表示される画面を例示する図
【図１３】本発明の実施の形態２における手動消去を選択した場合に表示される画面を例示する図
【図１４】本発明の実施の形態３における記録再生装置の構成図
【符号の説明】
【００６１】
１００    記録再生装置
１１０    ディスク型記録媒体運搬装置
１２０    ディスク型記録媒体運搬装置
１３０    ディスク型記録媒体運搬装置
１４０    ディスク型記録媒体運搬装置
１５０    ディスク型記録媒体
１６０    ディスク型記録媒体記録再生装置
１７０    運搬制御装置
２００    大容量記録再生装置
２１０    大容量記録再生装置内のフォルダ
２２０    大容量記録再生装置内のフォルダ
２３０    大容量記録再生装置内のフォルダ
２４０    大容量記録再生装置内のフォルダ
３００    記録再生装置
３１０    ディスク型記録媒体記録再生装置
３２０    半導体メモリカード記録再生装置
３３０    大容量記録再生装置
３４０    ネットワークに接続された大容量記録再生装置
４００    半導体メモリカード
５００    コンテンツデータ
５１０    データエリア
５２０    タグ情報エリア
８００    タグ情報エリアの情報を選択する画面
８１０    有効履歴数の入力画面
８２０    記録再生装置
８３０    アルバム「Ａｌｂｕｍ」
８４０    アルバム「Ｂｅｓｔ  Ａｌｂｕｍ」
８５０    コンテンツの一覧画面
８６０    自動消去・手動消去選択画面
８７０    自動消去を選択した場合に表示される画面
８８０    手動消去を選択した場合に表示される画面
【図１】
2006228318.tif 000003
【図２】
2006228318.tif 000004
【図３】
2006228318.tif 000005
【図４】
2006228318.tif 000006
【図５】
2006228318.tif 000007
【図６】
2006228318.tif 000008
【図７】
2006228318.tif 000009
【図８】
2006228318.tif 000010
【図９】
2006228318.tif 000011
【図１０】
2006228318.tif 000012
【図１１】
2006228318.tif 000013
【図１２】
2006228318.tif 000014
【図１３】
2006228318.tif 000015
【図１４】
2006228318.tif 000016